(57)【要約】      （修正有）【課題】白色ＬＥＤを光源とする照明装置において、白色ＬＥＤや集光レンズ等を変更することなく配光特性を変更できるようにする。【解決手段】発光部から放出される光を蛍光体１１ａを介して蛍光体１１ａの光出射面１１ｔから出射させる発光ダイオード（白色ＬＥＤ）１１と、光出射面１１ｔから出射した光を凹面形状の反射面１２ｂで反射し集光する反射部材（集光レンズ）１２と、を備える照明装置１０において、光出射面１１ｔと反射部材１２との間に配置された、発光ダイオード１１および反射部材１２とは別体の遮光部材１３によって、光出射１１ｔ面から反射部材１２に向けて出射した光の一部を光通過孔１３ａから通過させ他の光を遮光する。透明材料で構成される集光レンズ１２に代えて、反射凹面を有するリフレクタを用いても良い。【選択図】図１
2010092765.tif 000002
【特許請求の範囲】
【請求項１】
発光部から放出される光を蛍光体を介して上記蛍光体の光出射面から出射させる発光ダイオードと、上記光出射面から出射した光を凹面形状の反射面で反射し集光する反射部材と、を備える照明装置において、
上記光出射面と上記反射部材との間に上記光出射面から上記反射部材に向けて出射した光の一部を光通過孔から通過させ他の光を遮光する遮光部材が配置され、上記遮光部材は、上記発光ダイオードおよび上記反射部材とは別体である
ことを特徴とする照明装置。
【請求項２】
請求項１に記載の照明装置において、前記遮光部材は、前記光出射面の外周部から出射した光を遮光することを特徴とする照明装置。
【請求項３】
請求項１または請求項２に記載の照明装置において、前記遮光部材の前記光通過孔の形状と大きさは、前記光通過孔の内周縁よりも内側に前記発光部が位置し、かつ、上記内周縁よりも外側に前記光出射面の外周縁が位置するものであることを特徴とする照明装置。
【請求項４】
請求項１から請求項３のいずれか１項に記載の照明装置において、前記光通過部の周縁は、前記光出射面に接して配置されていることを特徴とする照明装置。
【請求項５】
請求項１から請求項４のいずれか１項に記載の照明装置において、前記反射部材は、バルクレンズであることを特徴とする照明装置。
【発明の詳細な説明】
【技術分野】
【０００１】
本発明は、発光ダイオードを光源とする照明装置に関する。
【背景技術】
【０００２】
近年、照明用の光源として、白熱電球や蛍光灯に加えて、いわゆる白色発光ダイオード（White Light Emitting Diode，以下、「白色ＬＥＤ」と略記する。）が用いられている。白色ＬＥＤは、人間の視覚に白色光として知覚される光（以下、単に「白色光」という。）を発生するように構成された発光装置であり、それぞれが３原色の関係をなす単色光（例えば、赤色、緑色、および青色）を発生する３つのＬＥＤを１つのパッケージに収容したものと、青色〜紫外域の単色光を発生するＬＥＤ（以下、「青色ＬＥＤ」という。）とその補色である黄色域の蛍光を発生する蛍光体とを１つのパッケージに収容したもの、に大別される。このうち、後者の蛍光体を用いる白色ＬＥＤは、前者の白色ＬＥＤに比べて構成が簡単で演色性も比較的良好であるため、照明器具の光源として用いられることが多い。
【０００３】
図３は、上述した蛍光体を用いる白色ＬＥＤ（以下、単に白色ＬＥＤという場合には蛍光体を用いるものを指す。）の基本構成を示す断面図である。この白色ＬＥＤ５１は、プリント配線板ＰＷＢ上に実装される表面実装型の発光装置として構成されており、蛍光体層５１ａと、パッケージ本体５１ｂと、発光部５１ｃと、を備えている。発光部５１ｃは、ｐｎ接合部（図示せず）に電流が供給されると青色の単色光Ｌｂを発生する青色ＬＥＤチップであり、パッケージ本体５１ｂの光出射面５１ｔ側（図３における上面）に開口する凹部５１ｈ内に配置される。蛍光体層５１ａは、凹部５１ｈ内の発光部５１ｃを覆うように配置され、発光部５１ｃから放出される青色域の光Ｌｂの一部を透過させると共に、光Ｌｂに励起されて黄色域の蛍光Ｌｙを発生する波長変換部材である。このような蛍光体層５１ａは、例えば、ＹＡＧ（Yttrium Aluminum Garnet）系の蛍光体が混合された透光性樹脂によって実現される。また、発光部５１ｃは、例えば、ＩｎＧａＮ系などのIII−Ｖ族化合物半導体を用いて実現される。なお、白色ＬＥＤ５１は発光部５１ｃに電流を供給するためのリード部等を備えているが、ここではそれらについての図示および説明を省略する。
【０００４】
白色ＬＥＤ５１は、発光部５１ｃをなす青色ＬＥＤチップから放出される青色域の単色光Ｌｂと、発光部５１ｃを覆うように配置された蛍光体層５１ａから放出される黄色域の蛍光Ｌｙとを混合することによって白色光を発生する。このため、白色ＬＥＤ５１の蛍光体層５１ａの表面のうち、発光部５１ｃから放出された青色域の光Ｌｂおよび蛍光体層５１ａから発生する黄色域の蛍光Ｌｙが共に出射する領域が、白色光の光出射面５１ｔとなる。図３に示す白色ＬＥＤ５１においては、凹部５１ｈの開口部内に位置する蛍光体層５１ａの表面のほぼ全部が白色光の光出射面５１ｔとなる。
【０００５】
ところで、白色ＬＥＤ５１において、青色域の光Ｌｂは、いわば点状の領域である発光部５１ｃ（青色ＬＥＤチップ）のｐｎ接合部からある立体角をもって円錐状に拡がりながら出射し、蛍光体層を透過する。図３に示す白色ＬＥＤ５１においては、発光部５１ｃから放出された青色域の光Ｌｂは、蛍光体層５１ａを透過し、蛍光体層５１ａから発生する黄色域の蛍光Ｌｙと共に蛍光体層５１ａの表面から白色光として出射する。ここで、蛍光体層５１ａの表面の白色光の光出射面５１ｔをなす領域は、発光部５１ｃが配置されているパッケージ本体５１ｂの凹部の開口部にほぼ相当する領域であり、典型的には直径数ｍｍ程度の円形領域とされる。したがって、白色ＬＥＤ５１においては、青色域の光Ｌｂが蛍光体層を透過する距離が発光部５１ｃから出射する角度によって異なることとなり、その結果として白色光に含まれる青色域の光Ｌｂと黄色域の光Ｌｙとの光量の比が出射する角度によって異なる「色むら」現象を生じる。この色むらは、具体的には、蛍光体層の外周部から出射する白色光が中央部から出射する白色光よりも相対的に黄色味を帯びる現象として現れる。
【０００６】
図４は、色むらを低減するために提案された従来の白色ＬＥＤの例を示し、上段は光出射面側から見た平面図、下段は内部構成を示す断面図である（特許文献１）。この白色ＬＥＤ６１は、蛍光体層６１ａ、パッケージ本体６１ｂ、発光部（青色ＬＥＤチップ）６１ｃに加えて、遮光部材（枠部材）６１ｄを備えている。蛍光体層６１ａは、厚さが一様であり、発光部６１ｃが配置されている凹部６１ｈの開口部を含むパッケージ本体６１ｂの上面を覆っている。遮光部材（枠部材）６１ｄは、白色光の光出射面６１ｔとなる蛍光体層６１ａの表面に配置されて、蛍光体層６１ａの光出射面６１ｔの外周部から出射する黄色味を帯びた白色光を遮るための部材である。
【０００７】
遮光部材６１ｄは、図４に示すように、パッケージ本体６１ｂの凹部６１ｈの円形開口部の直径とほぼ同じ直径の円形開口部を有している。白色ＬＥＤ６１は、この遮光部材６１ｄを蛍光体層６１ａの表面に備えることによって、白色光の光出射面６１ｔの外周部から出射する黄色味を帯びた白色光が照射面側（図４の下段における上方）に放出されることを防いでいる。したがって、白色ＬＥＤ６１においては、パッケージ本体６１ｂの凹部６１ｈの開口部を覆う蛍光体層６１ａのうち、遮光部材６１ｄの円形開口部の内側領域のみが白色光の光出射面６１ｔとなる。そして、図４に示す従来の白色ＬＥＤ６１によれば、色むら現象が抑制された照明用として好ましい白色光を得ることができる。
【０００８】
また、図５は、色むらを低減するために提案された従来の別の白色ＬＥＤの例を示す断面図である（特許文献１）。この白色ＬＥＤ７１は、その基本的な構成が図４に示した従来の白色ＬＥＤ６１と同様であり、蛍光体層７１ａ、パッケージ本体７１ｂ、発光部（青色ＬＥＤチップ）７１ｃ、および遮光部材（枠部材）７１ｄを備えている。しかし、白色ＬＥＤ７１の蛍光体層７１ａは、厚さが一様でなく、中央部から外周部に向かって厚さが減少するようにされている。すなわち、パッケージ本体７１ｂの凹部７１ｈ内の発光部７１ｃから出射した青色域の光Ｌｂが蛍光体層７１ａを透過する距離が、出射する角度によって異ならないようにされている。これにより、青色域の光Ｌｂの光路によって白色光に含まれる青色域の光Ｌｂと黄色域の光Ｌｙとの光量の比が変化しないようにされている。したがって、図５に示す従来の白色ＬＥＤ７１によれば、白色光の光出射面７１ｔの外周部から出射する黄色味を帯びた白色光が照射面側に放出されることを防ぐための遮光部材７１ｄを備えることとあいまって、色むら現象が抑制された照明用として好ましい白色光を得ることができる。
【０００９】
【特許文献１】特開２００５−１６６７３４号公報
【発明の開示】
【発明が解決しようとする課題】
【００１０】
ところで、照明装置に要求される特性は、その用途に応じて様々である。このため、照明装置の照度や配光といった特性を変更するためには、光源用の白色ＬＥＤ、集光レンズやリフレクタ（以下、「集光レンズ等」という。）を、仕様が異なるものに置き換えたり、その配置を変更しなければならないのが通常である。このため、互いに特性が異なる複数種類の照明装置を製造するためには、仕様を異にする複数種類の白色ＬＥＤや集光レンズ等を準備しておかなければならないうえ、次のような問題にもしばしば直面する。
【００１１】
まず、従来供給されている表面実装型の白色ＬＥＤの光出射面側の形態が統一されていないことに起因する問題である。すなわち、図３〜図５にそれぞれ示すように、その表面が白色光の光出射面をなす蛍光体層は、パッケージ本体の上面に対して、後退している（凹状）もの、平行で平坦なもの、さらには突出している（凸状）もの、など様々である。このため、色むら現象を抑制するために光出射面の外周部を覆う遮光部材を蛍光体層上に直接に配置しようとすると、光出射面側の形態に応じた遮光部材を用意し、それをパッケージ上面に取り付ける作業を行なわなければならない、という問題が生じる。
【００１２】
また、表面実装型の白色ＬＥＤと集光レンズ等とを組み合わせて構成される照明装置の配光特性は、集光レンズ等の特性によってほぼ決定される。このため、従来の照明装置においては、照射角をわずかに変更しようとする場合でも、集光レンズ等を異なる特性のものに置き換えなければならなかった。しかし、従来の照明装置において集光レンズ等を変更する際には、白色ＬＥＤの光出射面側の形態や遮光部材の位置など複数の要素を考慮しなければならないため、光源用の白色ＬＥＤや集光レンズ等が一旦決定された後に、照明装置の配光特性を変更することはきわめて困難であるという問題があった。
【００１３】
本発明は、このような事情をふまえ、白色ＬＥＤを光源とする照明装置において、白色ＬＥＤや集光レンズ等を変更することなく配光特性を変更できるようにすることを課題とする。
【課題を解決するための手段】
【００１４】
上記の課題を解決するため、本発明の照明装置は、発光部から放出される光を蛍光体を介して蛍光体の光出射面から出射させる発光ダイオードと、光出射面から出射した光を凹面形状の反射面で反射し集光する反射部材と、を備え、光出射面と反射部材との間に光出射面から反射部材に向けて出射した光の一部を光通過孔から通過させ他の光を遮光する遮光部材が配置され、遮光部材は、発光ダイオードおよび反射部材とは別体とされているものである。
【００１５】
なお、上記の照明装置において、前記遮光部材は、前記光出射面の外周部から出射した光を遮光する部材であることが好ましい。
【００１６】
また、上記の照明装置において、前記遮光部材の前記光通過孔の形状と大きさは、前記光通過孔の内周縁よりも内側に前記発光部が位置し、かつ、上記内周縁よりも外側に前記光出射面の外周縁が位置するものであることが好ましい。
【００１７】
また、上記の照明装置において、前記光通過部の周縁は、前記光出射面に接して配置されていることが好ましい。
【００１８】
さらに、上記の照明装置において、前記反射部材は、バルクレンズであることが好ましい。
【発明の効果】
【００１９】
以上のように、本発明の照明装置によれば、光出射面と集光レンズ等の間に配される記遮光部材の光通過孔の大きさや形状を適宜変更することによって、白色ＬＥＤや反射部材を変更することなく、配光特性を変更することができる。
【発明を実施するための最良の形態】
【００２０】
＜第１の実施形態＞
本発明の第１の実施の形態を図面に基づいて説明する。
＜第１実施例＞
図１の上段は、本発明の第１の実施形態としての照明装置の第１実施例である、照明装置１０の構成を模式的に示す断面図である。この照明装置１０は、光源である白色ＬＥＤ１１と、白色ＬＥＤ１１から発生する白色光を前方（図１における右方）に集中させる反射部材としての集光レンズ１２と、白色ＬＥＤ１１の光出射面の外周部から出射して集光レンズ１２に向かう光を遮光する遮光部材１３と、を含んで構成されている。
【００２１】
白色ＬＥＤ１１は、プリント配線板ＰＷＢの表面に実装される表面実装型（いわゆるチップ型）の発光装置であり、光出射面１１ｔをなす蛍光体層１１ａがパッケージ本体１１ｂの前方側に形成されている。光出射面１１ｔは、前方から見た形状が円形となっている。蛍光体層１１ａは、パッケージ本体１１ｂの内部に配置された図示されていない発光部（青色ＬＥＤチップ）を覆っており、この青色ＬＥＤチップから放出される青色域の単色光Ｌｂの一部を透過させると共に、光Ｌｂに励起されて黄色域の蛍光Ｌｙを発生する。白色ＬＥＤ１１は、互いに補色の関係にある光Ｌｂと光Ｌｙとを共に蛍光体層１１ａ表面の光出射面１１ｔから出射させることにより、人間の視覚に白色光として知覚される光を発生するようにされている。なお、白色ＬＥＤ１１の後方側（白色ＬＥＤ１１の蛍光体層１１ａと対向する側）には青色ＬＥＤチップを発光させるための駆動電流を供給する電極が形成されており、この電極がプリント配線板ＰＷＢ表面の導体パターンに半田接続されるが、ここでは電極や導体パターン、駆動回路などの図示を省略している。
【００２２】
集光レンズ１２は、透明材料により充実されたバルクレンズである。この集光レンズ１２は、後方側に頂部を有する回転放物体状を呈し、その光軸は、白色ＬＥＤ１１の光軸と同軸に配置される。集光レンズ１２は、頂部に白色ＬＥＤ１１から出射される光が入射する凹状の入射部１２ａが形成される。回転放物体状の集光レンズ１２の側面１２ｂは、前方側に開口する回転放物面状の凹面形状の反射面として機能する。すなわち、入射部１２ａから入射した光のうち光軸に対して斜めの光は、集光レンズ１２を構成する透明材料の内部を側面１２ｂに向かって進み、透明材料と空気との境界面で前方に向けて反射され、集束されて出射部１２ｃから出射する。つまり、白色ＬＥＤ１１の蛍光体層１１ａから出射し入射部１２ａに入射した光は集光レンズ１２により前方に集光させられる。このような集光レンズ１２は、例えば、光学ガラスやポリメタクリル酸メチル（ＰＭＭＡ）などの透明樹脂を金型成形することによって作成される。
【００２３】
遮光部材１３は、白色ＬＥＤ１１および集光レンズ１２とは別体の、白色ＬＥＤ１１の光出射面１１ｔよりも小径の光通過孔１３ａを有する板状部材である。遮光部材１３は、図１の上段に示すように、白色ＬＥＤ１１の蛍光体層１１ａと集光レンズ１２の入射部１２ａとの間に配置される。そして、図１の下段に示すように、光通過孔１３ａの縁部１３ｂの外周部が白色ＬＥＤ１１の光出射面１１ｔの外周部の前側を覆うように配置される。白色ＬＥＤ１１の発光部は、光通過孔１３ａの内周縁よりも内側に位置している。光通過孔１３ａの形状は、白色ＬＥＤ１１の光出射面１１ｔの形状に応じて決定され、例えば、光出射面１１ｔが円形である場合には円形が好ましく、光出射面１１ｔが矩形である場合には矩形が好ましい。本実施の形態では、光出射面１１ｔは円形であるため、光出射面１１ｔを円形としている。なお、遮光部材１３を構成する材料は、不透明であればどのようなものでも良いが、白色ＬＥＤ１１から発生する熱によって損傷しないものが望ましい。また、白色ＬＥＤ１１の蛍光体層１１ａの光出射面１１ｔの外周部から出射した光が遮光部材１３によって反射されて集光レンズ１２に入射することを防ぐために、遮光部材１３の表面を黒色にすることが望ましい。
【００２４】
以上説明した照明装置１０によれば、白色ＬＥＤ１１の蛍光体層１１ａ表面の光出射面１１ｔの外周部から集光レンズ１２に向かって出射する光が遮光部材１３によって遮光され、集光レンズ１２には、光出射面１１ｔから出射した光のうち、光通過孔１３ａを通過した光だけが入射することになる。その結果、集光レンズ１２の照度角よりも小さな照度角の配光特性で集光レンズ１２から光を出射させることができる。しかも、遮光部材１３を、白色ＬＥＤ１１および集光レンズ１２とは別体の部材としたため、光通過孔１３ａの形状を白色ＬＥＤの形態および集光レンズの配光特性等に応じて、集光レンズ１２の照度角よりも小さくして、所望の配光特性を得ることができるように最適なものに変更することが容易になる。また、遮光部材１３は、光出射面１１ｔの外周部から集光レンズ１２に向かって出射する光を遮光するため、光出射面１１ｔの外周部から出射する黄色味を帯びた白色光が、集光レンズ１２に入射することを防ぐことができ、集光レンズ１２から出射される光の色むらの発生を抑制することができる。なお、光通過部１３ａの周縁を、光出射面１１ｔに接して配置することで、光通過部１３ａの周縁が光出射面１１ｔから離れているときに比べて、集光レンズ１２から出射される光の照度角を大きくすることができる。また、そのような配置によって、照明装置１０をその光軸方向にコンパクト化（低背化）することができる。
【００２５】
表１は、照明装置１０における、遮光部材１３の光通過孔１３ａの孔径（直径：ｍｍ）と照射角度との関係を示している。ここで、「１／２照度角」とは、白色ＬＥＤの光出射面１１ｔから１ｍだけ離れた照射面において照度がレンズの中心軸上における照度の１／２となる角度を、中心軸からの角度をもって表すものである。この実施例１において用いられている集光レンズ１２は、金型を用いて成型された汎用品であり、１／２照度角が約１５°、入射部１２ａの直径が約８ｍｍ、出射部１２ｃの直径が約２３ｍｍである。また、白色ＬＥＤ１１の蛍光体層１１ａのうち光出射面１１ｔをなす領域は、直径が約４．３      ｍｍの円形領域である。表１から明らかなように、白色ＬＥＤ１１の蛍光体層１１ａと集光レンズ１２の入射部１２ａとの間に、光通過孔１３ａを有する遮光部材１３を配置することにより、集光レンズ１２の照射角を見かけ上変化させることができる。具体的には、光通過孔１３ａの孔径を小さくすることによって集光レンズ１２の１／２照度角を減少させることができる。また、光通過孔１３ａは、白色ＬＥＤ１１の光出射面１１ｔよりも小径であり、遮光部材１３は、蛍光体層１１ａの光出射面１１ｔの外周部の前側を覆うように配置されるので、遮光部材１３を配することにより白色ＬＥＤの色むらを抑制することもできる。
【表１】
2010092765.tif 000003
【００２６】
＜第２実施例＞
次に、本発明の第１の実施形態としての照明装置の第２実施例である、照明装置２０について説明する。この照明装置２０は、図１に示した照明装置１０と同様の構成を有し、光源である白色ＬＥＤ１１と、白色ＬＥＤ１１から発生する白色光を前方（図１における右方）に集中させる集光レンズ２２と、白色ＬＥＤ１１の光出射面１１ｔの外周部の前側を覆う遮光部材１３と、を含んで構成されている。すなわち、照明装置２０と照明装置１０とは、集光レンズ１２に代えて集光レンズ２２を備えている点のみが異なっている。集光レンズ２２は、金型を用いて成型された汎用品であり、形状および寸法が集光レンズ１２とほぼ同じであるが、側面２２ｂの形状等が異なることにより１／２照度角が約３０°である点が集光レンズ１２と異なっている。
【００２７】
表２は、照明装置２０における、遮光部材１３の光通過孔１３ａの孔径（直径：ｍｍ）と照度角との関係を示している。表２から明らかなように、１／２照度角が約３０°である集光レンズ２２を用いた照明装置２０においても、白色ＬＥＤ１１の蛍光体層１１ａと集光レンズ２２の入射部２２ａとの間に配置された遮光部材１３の光通過孔１３ａの孔径を小さくすることによって、集光レンズ２２の１／２照度角を見かけ上減少させることができる。また、照明装置２０においても、白色ＬＥＤ１１の蛍光体層１１ａの光出射面１１ｔよりも小径の光通過孔１３ａが光出射面１１ｔの外周部を覆うように配置されるので、遮光部材１３を配することによって白色ＬＥＤの色むらも抑制される。
【表２】
2010092765.tif 000004
【００２８】
＜第２の実施形態＞
次に、本発明の第２の実施形態としての照明装置３０について説明する。図２は、本発明の第２の実施の形態に係る照明装置３０の要部を示す断面図である。前述した第１の実施形態としての照明装置１０および照明装置２０は、いずれも、白色ＬＥＤ１１の光出射面１１ｔから出射する光を集光する凹面を有する反射部材として、透明材料からなるバルクレンズである集光レンズを用いたが、本実施の形態に係る照明装置３０おける反射部材は、これに限られない。すなわち、図２に示すように、反射部材として回転放物面状の凹面の鏡面３２ａを反射面として有するリフレクタ３２を用いて照明装置を構成してもよい。なお、以下の説明において、第１の実施形態と共通する部分については、同一の参照符号を用いて、その説明を適宜省略する。
【００２９】
照明装置３０は、上述したように、第１の実施形態における集光レンズ１２，２２に代えて、それらの回転放物面状の側面と同様の形状を有するリフレクタ３２を備えている。リフレクタ３２は、例えば、金属の成形体、ガラスや合成樹脂の成形体の表面（凹面）に金属反射層を設けることによって得ることができる。リフレクタ３２の頂部には入射部をなす孔３２ａが形成される。白色ＬＥＤ１１の蛍光体層１１ａから出射し孔３２ａに入射した光は、リフレクタ３２の反射面３２ｂにより前方に集光させられる。
【００３０】
このような照明装置３０によれば、透明材料が充実して形成されているバルクレンズである集光レンズを含まないことによって、照明装置をより軽量に構成することができる。また、照明装置３０によれば、バルクレンズ型の集光レンズを用いたときのように、光源である白色ＬＥＤ１１から出射した光が集光レンズを構成する透明材料を通過しないので、光源から発生する光の減衰を最小限に抑えることができる。
【００３１】
以上のように、本発明の実施の形態に係る照明装置１０（２０，３０）は、発光部であるＬＥＤチップから放出される光を蛍光体である蛍光体層を介して蛍光体層の光出射面から出射させる発光ダイオードと、光出射面から出射した光を凹面形状の反射面で反射し集光する反射部材とを備える照明装置において、蛍光体層１１の表面の光出射面１１ｔと反射部材としての集光レンズ１２（集光レンズ２２，リフレクタ３２）との間に、光出射面１１ｔから集光レンズ１２（集光レンズ２２，リフレクタ３２）に向けて出射した光の一部を光通過孔１３ａから通過させ他の光を遮光する遮光部材１３が配置され、遮光部材１３は、発光ダイオードである白色ＬＥＤ１１および集光レンズ１２（集光レンズ２２，リフレクタ３２）とは別体であることとしている。
このように照明装置１０（２０，３０）を構成することで、遮光部材１３の光通過孔１３ａの大きさや形状を適宜変更することによって、白色ＬＥＤ１１や集光レンズ１２（集光レンズ２２，リフレクタ３２）を変更することなく、配光特性を変更することができる。
【００３２】
また、照明装置１０（２０，３０）において、遮光部材１３は、光出射面１１ｔの外周部から出射された光を遮光するようにすることが好ましい。
このように照明装置１０（２０，３０）を構成することで、遮光部材１３が、光出射面１１ｔの外周部から集光レンズ１２（集光レンズ２２，リフレクタ３２）に向かって出射する光を遮光する。このため、光出射面１１ｔの外周部から出射する黄色味を帯びた白色光が、集光レンズ１２（集光レンズ２２，リフレクタ３２）に入射することを防ぐことができ、集光レンズ１２（集光レンズ２２，リフレクタ３２）から出射される光の色むらの発生を抑制することができる。
【００３３】
また、照明装置１０（２０，３０）において、遮光部材１３の光通過孔１３ａの形状と大きさは、光通過孔１３ａの内周縁よりも内側にＬＥＤチップである発光部が位置し、かつ、光通過孔１３ａの内周縁よりも外側に光出射面１１ｔの外周縁が位置するようにすることが好ましい。
このように照明装置１０（２０，３０）を構成することで、集光レンズ１２（集光レンズ２２，リフレクタ３２）に入射する光の量が多くさせながら、光出射面１１ｔの外周縁から出射する黄色味を帯びた白色光が集光レンズ１２（集光レンズ２２，リフレクタ３２）に入射する量を少なくすることができる。このため、集光レンズ１２（集光レンズ２２，リフレクタ３２）から出射される光の配光特性を変更することができると共に、色むらの発生を抑制することができる。
例えば、発光部が２つ設けられ、光出射面１１ｔがこれら２つの発光部を覆うように略長方形であるときは、光通過孔１３ａも光出射面１１ｔと同様の形状である長方形とすることで、２つの発光部が光通過孔１３ａの内周縁よりも内側に位置し、かつ、光通過孔１３ａの内周縁よりも外側に光出射面１１ｔの外周縁を位置させ易い。
また、３つの発光部が三角形の頂点位置にそれぞれ配置され、光出射面１１ｔがこれら３つの発光部を覆う略三角形の領域であるときは、光通過孔１３ａも光出射面１１ｔと同様の形状である三角形とすることで、３つの発光部が光通過孔１３ａの内周縁よりも内側に位置し、かつ、光通過孔１３ａの内周縁よりも外側に光出射面１１ｔの外周縁を位置させ易い。
また、４つの発光部が四角形の頂点位置にそれぞれ配置され、光出射面１１ｔがこれら４つの発光部を覆う略四角形の領域であるときは、光通過孔１３ａも光出射面１１ｔと同様の形状である四角形とすることで、４つの発光部が光通過孔１３ａの内周縁よりも内側に位置し、かつ、光通過孔１３ａの内周縁よりも外側に光出射面１１ｔの外周縁を位置させ易い。
【００３４】
また、照明装置１０（２０，３０）において、光通過部１３ａの周縁は、光出射面１１ｔに接して配置されていることが好ましい。
このように照明装置１０（２０，３０）を構成することで、光通過孔１３ａの大きさと形状が同一ならば、光通過部１３ａの周縁が光出射面１１ｔに接しているときの方が、離れているときに比べて、集光レンズ１２（集光レンズ２２，リフレクタ３２）から出射される光の照度角を小さくすることができる。
【００３５】
また、照明装置１０（２０）において、反射部材としての集光レンズ１２（集光レンズ２２）は、透明材料により充実されたバルクレンズであることが好ましい。
【００３６】
＜その他の変形例＞
以上説明した本発明の実施の形態においては、表面実装型の白色ＬＥＤの光出射面をなす蛍光体層がパッケージ本体から突出している場合を想定して説明した。しかし、本発明は、白色ＬＥＤの光出射面側の形態にかかわらず適用できるものである。例えば、図１および図２に示す白色ＬＥＤ１１に代えて、図３に示す白色ＬＥＤ５１を用いることもできる。また、図４に示す白色ＬＥＤ６１の遮光部材６１ｄを備えないもの、あるいは、図５に示す白色ＬＥＤ７１の遮光部材７１ｄを備えないものを用いることもできる。また、本発明は、光源である白色ＬＥＤがいわゆる砲弾型の発光装置として構成されている場合にも適用できることはもちろんである。
【００３７】
また、上述した本発明の各実施の形態においては、表面実装型の白色ＬＥＤの蛍光体層からなる光出射面が円形領域である場合を想定して説明した。しかし、白色ＬＥＤの光出射面の形状は円形に限られるものではない。例えば、１つの白色ＬＥＤのパッケージ本体の内部に複数の青色ＬＥＤチップ（ｐｎ接合部）が配置される場合には、光出射面の形状が矩形とされることもある。その場合には、遮光部材に形成される光通過孔の形状を光出射面の形状に応じて矩形にしても良い。
【００３８】
さらに、上述した本発明の実施の形態においては、照明装置が備える１つの白色ＬＥＤについて説明した。しかし、本発明は、遮光部材に白色ＬＥＤおよび反射部材の配列に応じた複数の光通過孔を設けることによって、配列された複数の白色ＬＥＤおよび反射部材を備える照明装置にも適用できるものである。その場合に、遮光部材を板状部材によって構成すれば、複数の白色ＬＥＤおよび反射部材に対して１つの遮光部材を配置するだけで足りるため、照明装置の組立てが従来よりも格段に容易になるという技術的効果も期待される。
【図面の簡単な説明】
【００３９】
【図１】本発明の第１の実施の形態としての照明装置１０および照明装置２０の要部の構成を模式的に示す図であり、上段は断面図、下段は遮光部材１３を照射面側から見た平面図である。
【図２】本発明の第２の実施の形態に係る照明装置３０の要部を示す断面図である。
【図３】蛍光体を用いる白色ＬＥＤの内部構成を示す断面図である。
【図４】従来の白色ＬＥＤの一例を示す図であり、上段は光出射面の構成を示す平面図、下段は内部構成を示す断面図である。
【図５】従来の白色ＬＥＤの別の例を示す図であり、光出射面をなす蛍光体層がパッケージ本体の上面から突出している構成を示す断面図である。
【符号の説明】
【００４０】
１０，２０        照明装置
１１              白色ＬＥＤ（蛍光体を有するＬＥＤ）
１１ａ          蛍光体層
１１ｂ          パッケージ本体
１２，２２        集光レンズ（反射部材）
１２ａ，２２ａ  入射部
１２ｂ，２２ｂ  側面（反射凹面）
１２ｃ，２２ｃ  出射部
１３            遮光部材
１３ａ        光通過孔
１３ｂ        縁部
３２              リフレクタ（反射部材）
３２ａ        入射部
３２ｂ        反射面（反射凹面）
ＰＷＢ          プリント配線板
【図２】
2010092765.tif 000005
【図３】
2010092765.tif 000006
【図４】
2010092765.tif 000007
【図５】
2010092765.tif 000008
【図１】
2010092765.tif 000009